【事件の表示】
　特願２００６−５１６９０８号「歯ブラシの製造方法」拒絶査定不服審判事件〔平成１６年１２月２９日国際公開、ＷＯ２００４／１１３０４７、平成１８年１１月３０日国内公表、特表２００６−５２７０６１号〕について、次のとおり審決する。
【結　論】
　本件審判の請求は、成り立たない。
【理　由】
Ｉ．手続の経緯
　本願は、平成１６年５月１１日の出願（パリ条約による優先権主張　平成１５年６月９日、韓国）であって、平成２１年６月２５日付けで拒絶査定がなされたところ、同査定を不服として平成２１年１０月２９日に拒絶査定不服審判の請求がなされるとともに、平成２１年１０月２９日付けで特許請求の範囲についての手続補正がなされたものである。
　
II．平成２１年１０月２９日付けの手続補正についての補正却下の決定
［補正却下の決定の結論］
　平成２１年１０月２９日付けの手続補正（以下、「本件補正」という。）を却下する。
　
［理由］
１．補正後の本願発明
　本件補正により、特許請求の範囲の請求項１は、次のように補正された。
「　歯ブラシ毛
（ｈ）
（１０）
（ｈ）
（ｈ）
（１１）
（１０）
（ｈ）
（ｈ）
（１０）
（ｈ）
（１０）
自動移動挿入装置により
　
２．補正の目的の適否及び新規事項の追加の有無
　本件補正は、特許請求の範囲に記載される各特定事項に括弧を付して符号を付記し、請求項１に記載した発明を特定するために必要な事項である、「ヘッドインサートを歯ブラシ柄製造用金型に装着させ」との特定に対して、「自動移動挿入装置により」との限定を付加するものであり、かつ、補正後の請求項１に記載された発明は、補正前の請求項１に記載された発明と、産業上の利用分野及び解決しようとする課題が同一である。
　したがって、本件補正は、平成１８年法律第５５号改正附則第３条第１項によりなお従前の例によるとされる同法による改正前の特許法第１７条の２第４項第２号の特許請求の範囲の減縮を目的とするものに該当し、新規事項を追加するものではない。
　
３．独立特許要件
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）、以下に検討する。
　
３−１．引用例の記載事項
（１）欧州特許出願公開第０９７２４６５号明細書の記載
　原査定の拒絶の理由に引用され、本願優先日前に頒布された刊行物である、欧州特許出願公開第０９７２４６５号明細書（以下、「引用例１」という。）には、図面と共に次の事項が記載されている。（括弧内は当審による仮訳である。）
　
記載１．
　「This invention relates to a method for manufacturing brushes, as well as to a device, more particularly a brush manufacturing machine, applying this method. 
For manufacturing brushes, more particularly tooth-brushes, substantially two techniques are known.（本発明は、ブラシを製造する方法とその装置、特にこの方法の適用に適したブラシ製造装置に関する。
ブラシ、特に歯ブラシの製造のために、本質的に2つの技術が知られている。）」（[0001] 、[0002] 段落）
　
記載２．
　「 In figures 10 and 11, an embodiment is represented schematically whereby a carrier 2 filled with fiber bundles 4 is brought against a holder 10 by means of transfer means not represented in the figures, and whereby at the other side of the carrier 2, a device 24 is provided which is intended for moving the fiber bundles 4 from the carrier 2 into the holder 10. 
To this aim, this device 24 consists of a guidance plate 25 on which ejection pins 26 are provided, according to a pattern which corresponds to the pattern of the openings 3 in the carrier 2, the pattern of the holes or passages 27 provided in the holder 10, respectively, whereby these ejection pins 26 are attached, for example, on a common support 28. 
It suffices, as represented in figure 11, to move the ejection pins 26 in the openings 3 of the carrier 2 in order to move the fiber bundles 4 into the holder 10, in such a manner that the free extremities of these fiber bundles 4 protrude from the aforementioned openings 27 with an appropriate length.（第１０図、第１１図は実施例を図式的に示したものだが、そこでは、繊維束４が充填されたキャリア２が図示されない搬送手段によってホルダー１０に向かって運ばれており、前記キャリア２のもう一方の側において、繊維束４を前記キャリア２からホルダー１０の中に動かすように、器具２４が提供されている。
　上記目的のために、器具２４は、前記キャリア２内の開口部３のパターン（このパターンは、ホルダー１０内に設けられた孔や通路２７のパターンである）に各々対応するパターンに従って、その上に排出ピン２６が設けられたガイダンスプレート２５からなっており、例えばこれらの排出ピン２６は共通の支持部材２８の上に取り付けられている。
　第１１図に示しているように、これらの繊維束４の自由な先端部が適切な長さを持った上記開口部２７から突出するように繊維束４をホルダー１０の中に移動させるためには、キャリア２の開口部３の中の排出ピン２６を移動させるだけで充分である。）」（[0030]−[0032]段落）
　
記載３．
　「 When the fiber bundles 4, in the manner as described in the aforegoing, are provided in a holder 10, the free extremities of the fibers, as represented, for example, in figure 23, will preferably be melted together, for example, under the influence of heat, whereby it is obtained at the same time that, in this way, the fiber bundles are retained in the holder. （上記のような状態で繊維束４がホルダー１０の中に提供される場合、第２３図に示されているように当該繊維の自由な先端部は例えば熱の影響によって一緒に熔解することが好ましく、その結果、同時に当該繊維束はホルダー内に保持される。）」（[0040]段落）
　
記載４．
　「Figure 26 shows a variant of the embodiment of figure 25, whereby the abovesaid portion 10B is omitted and, consequently, the holder 10 only consists of the pre-shaped or pre-formed portion of the brush body 5. 
 It is obvious that, instead of using a mould for the complete brush body 5, it is also possible to use a mould for only a portion 34 of the brush body 5. The pre-formed portion 34 can then be fixed to the remaining portion of the brush body 5, as schematically indicated with arrow P1 in figure 27, either by the manufacturer or by the consumer, by means of any suitable technique, for example by clicking or welding. （第２６図は第２５図の実施例の一つを示しているが、上記の１０Ｂが削除され、その結果としてホルダー１０はブラシボディ５の事前に形作られた箇所だけからなっている。
　完全なブラシボディ５用の金型を用いる代わりに、ブラシボディ５の一部分３４だけのための金型を用いることもまた可能であるのは、自明である。第２７図で矢印Ｐ１として図式的に示しているが、製造業者と消費者のいずれもが、例えばクリッキングや溶接などの適切な技術により、事前形成された部分３４を当該ブラシボディ５の残余部分に固定できる。）」（[0044]、[0045]段落） 
　
記載５．
　「It is clear that in all embodiments of the figures 10 to 17, 23, 24 and 26 to 28, the holder 10 always forms part of the mould or borders the cavity of the mould, whereby, according to this invention, it is always intended by reference 35, is filled up by injecting synthetic material in it by injection moulding. （第１０図〜第１７図、第２３図、第２４図、第２６図〜第２８図の全ての実施例においてホルダー１０は常に金型や成形溝の境界の一部を形成しており、本発明では符号３５によって示しているが、射出成形によって、その中に合成材料が注入されていることは明らかである。」（[0047]段落） 
　
　図面の記載を併せみつつ、上記記載事項について検討すると、引用例１の記載は歯ブラシの製造方法に係る旨、記載１．に記載されており、記載５．に、「第１０図〜第１７図、第２３図、第２４図、第２６図〜第２８図の全ての実施例においてホルダー１０は常に金型や成形溝の境界の一部を形成しており、・・射出成形によって、その中に合成材料が注入されていることは明らかである。」と記載されている。そして、第２６図の図示は、ホルダー１０が繊維束４を有する状態で、ブラシボディ５を一体に成形するものと解されるので、ホルダー１０は、いわゆるインサート部材として金型に装着されて合成材料が注入されるものを把握可能である。
　さらに、記載３．に、「・・第２３図に示されているように当該繊維の自由な先端部は例えば熱の影響によって一緒に熔解することが好ましく、その結果、同時に当該繊維束はホルダー内に保持される。」と記載されることから、繊維束４はホルダー１０に結合されるものとして記載されており、この結合が、合成材料の注入以前であることは、第２３図に図示される加熱の概念より明白である。
　したがって、引用例１の記載から、
　
　繊維束４をホルダー１０と結合させた状態でブラシボディ５を成形する金型に装着させた後、合成材料樹脂を金型の内部に注入して、繊維束４とブラシボディ５を一体化させる歯ブラシを製造する方法
　
を把握可能である。
　
　次に、繊維束４をホルダー１０と結合させる方法について、引用例１の記載をさらに検討すると、記載２．に、「第１０図、第１１図は実施例を図式的に示したものだが、そこでは、繊維束４が充填されたキャリア２が図示されない搬送手段によってホルダー１０に向かって運ばれており、前記キャリア２のもう一方の側において、繊維束４を前記キャリア２からホルダー１０の中に動かすように、器具２４が提供されている。
　上記目的のために、器具２４は、前記キャリア２内の開口部３のパターン（このパターンは、ホルダー１０内に設けられた孔や通路２７のパターンである）に各々対応するパターンに従って、その上に排出ピン２６が設けられたガイダンスプレート２５からなっており、例えばこれらの排出ピン２６は共通の支持部材２８の上に取り付けられている。
　第１１図に示しているように、これらの繊維束４の自由な先端部が適切な長さを持った上記開口部２７から突出するように繊維束４をホルダー１０の中に移動させるためには、キャリア２の開口部３の中の排出ピン２６を移動させるだけで充分である。」と記載され、ガイダンスプレート２５及びキャリア２により結合することが記載され、キャリア２には、ホルダー１０に設けられた孔や通路２７に対応する開口部３が設けられており、第１０図、第１１図を見ると、支持部材２８に同じく対応して配置される排出ピン２６は、ガイダンスプレート２５を通過するので、ガイダンスプレート２５にも対応する開口部があると解することが引用例１の自然な解釈である。
　そして、これらにより繊維束４の自由な先端部が開口部２７から突出するように繊維束４を移動させるのであるから、引用例１には、ガイダンスプレート２５を有する器具２４及びキャリア２によって、繊維束４を開口部２７が形成されたホルダー１０の裏面に突出するように植え込むことが記載されている。
　さらに、この突出した繊維束４は、記載３．に、「上記のような状態で繊維束４がホルダー１０の中に提供される場合、第２３図に示されているように当該繊維の自由な先端部は例えば熱の影響によって一緒に熔解することが好ましく、その結果、同時に当該繊維束はホルダー内に保持される。」と記載されるように、突出された後、熱融着させることでホルダー１０に固定されることが記載されている。
　したがって、引用例１には、
　
　ガイダンスプレート２５を有する器具２４及びキャリア２によって、繊維束４を開口部２７が形成されたホルダー１０の裏面に突出するように植え込んだ後、該突出した繊維束４を熱融着させることで繊維束４が固定されたホルダー１０を製造すること、
　
が記載されている。
　
　加えて、繊維束４とブラシボディ５を一体化させた歯ブラシは、射出成形により製造される旨、引用例１に記載（記載４．記載５．参照）されており、射出成形が射出機に付された金型を用いる射出成形機によりなされることは、その特段の記載を待つまでもなく当業者が把握可能な事項である。
　そして、この射出成形について、再度記載５．をみると、「第１０図〜第１７図、第２３図、第２４図、第２６図〜第２８図の全ての実施例においてホルダー１０は常に金型や成形溝の境界の一部を形成しており、本発明では符号３５によって示しているが、射出成形によって、その中に合成材料が注入されていることは明らかである。」と記載され、符号３５が記載される第２６図をみると、前記繊維束４をホルダー１０と結合させた状態でブラシボディ５を製造する金型に装着されたホルダー１０は、繊維束４を金型の外部に位置するように図示されている。
　したがって、引用例１の記載から、
　射出成形機によって、繊維束４が射出機に付された金型の外部に位置するように、繊維束４が固定されたホルダー１０をブラシボディ５を製造する金型に装着させ、合成材料を金型の内部に注入して射出成形すること
　
を把握することが可能である。
　
　これら記載及び図示内容を総合し、本願補正発明の記載ぶりに則って整理すると、引用例１には、次の発明（以下、「引用発明」という。）が記載されている。
　
　繊維束４をホルダー１０と結合させた状態でブラシボディ５を成形する金型に装着させた後、合成材料を金型の内部に注入して、繊維束４とブラシボディ５を一体化させる歯ブラシの製造方法であって、ガイダンスプレート２５を有する器具２４及びキャリア２によって繊維束４を開口部２７が形成されたホルダー１０の裏面に突出するように植え込んだ後、該突出した繊維束４を熱融着させることで繊維束４が固定されたホルダー１０を製造する工程、射出成形機によって繊維束４が射出機に付された金型の外部に位置するように、繊維束４が固定されたホルダー１０をブラシボディ５を製造する金型に装着させ、合成材料を金型の内部に注入して射出成形する工程よりなる歯ブラシの製造方法。
　
（２）特開２０００−２８７７５５号公報の記載
　同じく原査定の拒絶の理由に引用され、本願優先日前に頒布された刊行物である、特開２０００−２８７７５５号公報（以下、「引用例２」という。）には、図面と共に次の事項が記載されている。
　
記載６．
　「  合成樹脂製モノフィラメントからなる用毛または用毛束を用毛支持体に１つまたは複数埋設したブラシ製品を製造するための方法であって、
前記用毛または用毛束を挿通するための挿通孔を射出成形用金型の表裏を貫いて形成し、
該挿通孔に所定長さからなる用毛または用毛束を挿通した後、金型のキャビティ内に合成樹脂の融液を充填して用毛支持体を射出成形し、
前記挿通孔に挿通された用毛または用毛束を用毛支持体の表裏両面から所定の長さだけ外部へ突出させた状態で固設することを特徴とするブラシ製品の製造方法。
  請求項１記載のブラシ製品の製造方法において、
前記用毛支持体の表裏両面から外部に突出する用毛または用毛束のうち、用毛支持体の裏面側から突出する用毛または用毛束の端部を加熱溶融し、用毛支持体の裏面に溶融肥大部を形成することを特徴とするブラシ製品の製造方法。」（【請求項１】【請求項２】）
　
記載７．
「（２）キャビティの形成工程（図１（ｂ）参照）
次に、可動側金型２を、図示しない移動機構によって、用毛支持体１０の厚さＬ（図１（ｆ）参照）に相当する距離だけ移動する。これによって、固定側金型１と可動側金型２との間に、用毛支持体１０を形づくるためのキャビティ５が形成される。なお、用毛支持体１０の厚さＬは特に制限はないが、例えば歯ブラシの場合、１〜５ｍｍ、より好ましくは２〜４ｍｍがよい。」（【００１６】段落）
　
記載８．
「（６）完成品（図１（ｆ）参照）
上記のようにして溶融肥大部８を形成した後、用毛３を埋設された用毛支持体１０を固定側金型１から取り出す。これによって、図１（ｆ）に示すようなブラシ製品１１が完成する。」（【００２１】段落）
　
記載９．
「本発明方法で製造された前記ブラシ製品をさらに二次加工することによって、柄付きの歯ブラシを製造した場合の例を図４および図５に示す。
図４は、本発明方法で製造された前記ブラシ製品１１を、さらに、ヘッド部４１およびこれに続く首部４２、ハンドル部４３を形どった二次成形用の別の金型に装填して射出成形し、ブラシ製品１１をヘッド部４１に埋め込んだ一体型歯ブラシとした場合の例である。」（【００４１】、【００４２】段落）
　
　図面の記載を併せみて、これら記載を検討すると、引用例２に記載されるブラシ製品１１は、用毛支持体１０に用毛３が溶融肥大部８により固定されたものであり（記載６．及び、記載８．参照）、さらに、記載７．に、「用毛支持体１０の厚さＬは特に制限はないが、例えば歯ブラシの場合、１〜５ｍｍ、より好ましくは２〜４ｍｍがよい。」と記載されるように、歯ブラシに係る物品である。
　そして、記載９．に、「本発明方法で製造された前記ブラシ製品をさらに二次加工することによって、柄付きの歯ブラシを製造した場合の例を図４および図５に示す。
　図４は、本発明方法で製造された前記ブラシ製品１１を、さらに、ヘッド部４１およびこれに続く首部４２、ハンドル部４３を形どった二次成形用の別の金型に装填して射出成形し、ブラシ製品１１をヘッド部４１に埋め込んだ一体型歯ブラシとした場合の例である。」と記載されているので、引用例２には、
　
　合成樹脂製の用毛支持体１０に用毛３を溶融肥大部８により固定したブラシ製品１１をさらに、ヘッド部４１およびこれに続く首部４２、ハンドル部４３を形どった二次成形用の別の金型に装填して射出成形してヘッド部４１、首部４２、ハンドル部４３からなる歯ブラシとすること
　
が記載されている。
　
（３）特開平４−２９８３１２号公報の記載
　本願優先日前に頒布された刊行物であり、新たに引用する、特開平４−２９８３１２号公報（以下、「引用例３」という。）には、次の記載がある。
　
記載１０．
「なお、インサート法におけるインサート金具の挿入は、人手によるもの、自動挿入装置によるものがある。」（【０００４】段落）
　
３−２．対比
　本願補正発明と引用発明とを対比すると、両発明はともに射出成形によりる歯ブラシの製造方法に係る発明であり、各文言の意味、配置、機能等からみて、引用発明の「繊維束４」は、本願補正発明の「歯ブラシ毛（ｈ）」に相当し、以下同様に、「ホルダー１０」は「ヘッドインサート（１０）」に、「開口部２７」は「通孔（１１）」に、「ブラシボディ５を成形する金型」及び「金型」は「歯ブラシ柄製造用金型」及び「金型」に、「合成材料」は「樹脂」に、「ブラシボディ５」は「歯ブラシ柄」に、それぞれ相当する。
　また、引用発明の「ガイダンスプレート２５を有する器具２４及びキャリア２」は、その処理する対象物及び機能からみて、その配置はさておき、本願補正発明の「植毛機」に相当する。
　
　そこで、本願補正発明の用語を用い、付記された符号を略して表現すると、両発明は次の点で一致する。
　
（一致点）
　　歯ブラシ毛をヘッドインサートと結合させた状態で歯ブラシ柄製造用金型に装着させた後、樹脂を金型の内部に注入して射出成形して、歯ブラシ毛と歯ブラシ柄を一体化させる歯ブラシの製造方法であって、植毛機によって歯ブラシ毛を通孔が形成されたヘッドインサートの裏面に突出するように植え込んだ後、該突出した歯ブラシ毛を熱融着させることで歯ブラシ毛が固定されたヘッドインサートを製造する工程、射出成型機によって歯ブラシ毛が射出機に付着された金型の外部に位置するように、歯ブラシ毛が固定されたヘッドインサートを歯ブラシ柄製造用金型に装着させ、樹脂を金型の内部に注入して射出成形する工程よりなる歯ブラシの製造方法。
　
　そして、両発明は次の点で相違する（対応する引用発明の用語を（　）内に示す）。
　
（相違点１）
　本願補正発明の植毛機は、射出成形機から分離されたものであるのに対し、引用発明の植毛機（ガイダンスプレート２５を有する器具２４及びキャリア２）には、射出成形機から分離されたものとすることの記載がない点。
　
（相違点２）
　本願補正発明のヘッドインサートは、厚さ1.5〜3.0mmのプラスチック材であり、そのの裏面に歯ブラシ毛が１〜３mm突出するのに対し、引用発明のヘッドインサート（ホルダー１０）の厚さ及び材質については特段の記載はなく、裏面に歯ブラシ毛（繊維束４）が突出するものの突出長さは定かでない点。
　
（相違点３）
　本願補正発明は、ヘッドインサートを自動移動挿入装置により歯ブラシ柄製造用金型に装着させるのに対し、引用発明は、ヘッドインサート（ホルダー１０）を歯ブラシ柄製造用金型（ブラシボディ５を成形する金型）に装着させるものの自動移動挿入装置を用いることの記載はない点。
　
３−３．相違点の判断
　上記相違点について検討する。
　
（相違点１について）
　引用例２には、用毛支持体１０に用毛３を溶融肥大部８により固定してブラシ製品１１とし、これをヘッド部４１およびこれに続く首部４２、ハンドル部４３を形どった二次成形用の別の金型に装填して射出成形して、ヘッド部４１、首部４２、ハンドル部４３からなる歯ブラシとすることが記載されており、ヘッド部４１、首部４２、ハンドル部４３からなる歯ブラシとするために、二次成形用の別の金型に装填して射出成形する部分の装置は、本願補正発明の相違点１に係る射出成形機に相当するものである。
　そして、引用例２に記載される、用毛支持体１０に用毛３を溶融肥大部８により固定して、ブラシ製品１１とする行程は、植毛機がおこなう行程に対応し、引用例２は、そのような行程をおこなう部分の装置とは別の金型を用いることを記載しているから、引用例２は、植毛機と別の射出成形の装置を用いることを記載あるいは示唆しているといえる。
　よって、引用発明の植毛機及び射出成形機がそれぞれおこなうそれぞれの行程に、引用例２に記載あるいは示唆されるそれぞれを別の装置とする技術を適用して、相違点１に係る本願補正発明の発明特定事項のようにすることは当業者が容易に想到し得たことである。
　
（相違点２について）
　ヘッドインサートの材質の選定は、設計者にとって必須の事項であり、周知の技術を参酌してその選定をなすことが通常なされる設計手法と解されるところ、引用例２にも示されるように、プラスチック材の採用は、周知の事項である。
　さらに、厚さ及び突出長さの決定は、当業者が適宜なし得る設計上の事項に属するものと認められる。
　そして、歯ブラシの通常の大きさを勘案すると、これら各数値範囲は格別の値ではなく、しかも、相違点２に係る本願補正発明の特定事項である厚さの範囲は、通常採用される範囲（参考例　引用例２の記載７．特開２００３−１３５１４７号公報（【００５０】段落））を含むものであり、さらに、突出長さの範囲も通常採用される範囲（参考例　特表２００２−５２９１７９号公報（【００４５】段落））を含むものである。
　してみると、相違点２は、引用発明に周知の技術を適用して、当業者が容易になしえたものと認める。
　
（相違点３について）
　引用発明は、ヘッドインサート（ホルダー１０）を歯ブラシ柄製造用金型（ブラシボディ５を成形する金型）に装着させて、射出成形をおこなうものであり、射出成形のためのインサート体を装着する手法として、引用例３には、自動移動挿入装置及び手動の装着が選択可能に記載されている。
　してみると、相違点３は、引用発明に引用例３に記載される技術を適用して、当業者が容易になしえたものと認める。
　
　そして、本願補正発明による効果は、引用発明ないし引用例２、３に記載されたもの、及び、周知技術から当業者が予測し得た以上の格別のものとはいえない。
　
　したがって、本願補正発明は、引用発明及び引用例２、３に記載されたもの並びに周知技術に基いて、当業者が容易に発明をすることができたものであるので、特許法第２９条第２項の規定により、特許出願の際独立して特許を受けることができない。
　
３−４．むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
III．本願発明
　本件補正は、上記のとおり却下されたので、本願の請求項１の記載（以下、同項記載の発明を、「本願発明」という。）は、平成２１年６月１１日付けの手続補正書により補正された、拒絶査定時の特許請求の範囲の請求項１の記載である、以下のとおりの記載である。
　
「　歯ブラシ毛ｈをヘッドインサート１０と結合させた状態で歯ブラシ柄製造用金型に装着させた後、樹脂を金型の内部に注入して射出成形して、歯ブラシ毛ｈと歯ブラシ柄を一体化させる歯ブラシの製造方法であって、射出成形機から分離された植毛機によって歯ブラシ毛ｈを通孔１１が形成された厚さ1.5〜3.0mmのプラスチック材のヘッドインサート１０の裏面に１〜３mm突出するように植え込んだ後、該突出した歯ブラシ毛ｈを熱融着させることで歯ブラシ毛ｈが固定されたヘッドインサート１０を製造する工程、射出成型機によって歯ブラシ毛ｈが射出機に付着された金型の外部に位置するように、歯ブラシ毛ｈが固定されたヘッドインサート１０を歯ブラシ柄製造用金型に装着させ、樹脂を金型の内部に注入して射出成形する工程よりなることを特徴とする歯ブラシの製造方法。」
　
IV．引用例の記載事項
　原査定の拒絶の理由に引用された引用例１及び引用例２の記載は、前記II.３−１（１）、（２）に記載したとおりである。
　
Ｖ．対比・判断
　本願発明と引用発明とを対比すると、本願発明は、前記II．１の本願補正発明から、「ヘッドインサートを歯ブラシ柄製造用金型に装着させ」との特定に係る限定事項である「自動移動挿入装置により」との限定を省くとともに、各特定事項に付記される符号を省いたものであので、前記II．３−２．に記載したとおり、両発明は、以下の相違点Ａ，Ｂの点で相違し、残余の点で両発明は一致している。
　
（相違点Ａ）
　本願補正発明の植毛機は、射出成形機から分離されたものであるであるのに対し、引用発明の植毛機（ガイダンスプレート２５を有する器具２４及びキャリア２）には、射出成形機から分離されたものとすることの記載がない点。
　
（相違点Ｂ）
　本願補正発明のヘッドインサートは、厚さ1.5〜3.0mmのプラスチック材であり、そのの裏面に歯ブラシ毛が１〜３mm突出するのに対し、引用発明のヘッドインサート（ホルダー１０）の厚さ及び材質については特段の記載はなく、裏面に歯ブラシ毛（繊維束４）が突出するものの突出長さは定かでない点。
　
　これら相違点について検討すると、相違点Ａ、Ｂは、前記II．３−３．の(相違点１について)、及び（相違点２について）に記載したとおり、引用発明に引用例２に記載される技術及び周知の技術を適用して、当業者が容易になしえたものであり、本願発明の奏する効果は、引用発明及び引用例２に記載される技術並びに周知の技術から予測される以上の格別のものとは認められない。
　
　したがって、本願発明は、引用発明及び引用例２に記載されたもの並びに周知技術に基いて、当業者が容易に発明をすることができたものである。
　
　なお、請求人は、平成２２年１２月３日付け回答書において、請求項２及び請求項３からなるものに補正する機会の付与を求めているが、補正に時期的制限を設けた法の趣旨に鑑み、そのような機会を敢えて設けない。
　さらに付言すれば、前記II.３−１（１）に述べたように、引用例１の記載２．の記載、及び、第１０、１１図の記載から、キャリア２には、ホルダー１０に設けられた孔や通路２７に対応する開口部３が設けられており、支持部材２８に同じく対応して配置される排出ピン２６は、ガイダンスプレート２５を通過するので、ガイダンスプレート２５にも対応する開口部があると解されるから、請求項２、３に記載される特定事項は、引用例１に記載されるものに対して、新たに実質的な差異を付加する特定ではない。
　
VI．むすび
　以上説示のとおり、本願発明は、引用発明及び引用例２に記載されたもの並びに周知技術に基いて、当業者が容易に発明をすることができたものであるから、特許法第２９条第２項の規定により、特許を受けることができない。
　よって、結論のとおり審決する。